(57)【要約】【課題】釣り用クッションゴムで使用途中で突如切れたり、へたったりすることのないロングライフの釣り用クッションゴムにすること。【解決手段】道糸ＡとハリスＢとの間に接続する釣り用クッションゴムＣが、伸縮自在の弾性線状体１の外周面に非弾性線状体２で編み上げた巻包編み体３で覆い所定の長さでの両サイドにサルカン１ａを設け、弾性線状体１の伸縮に同期する巻包編み体３の最長伸び限界が、弾性線状体１の弾性限界内にすることで、該弾性線状体１への繰り返し応力Ｄでのへたりや切断を巻包編み体３に依って防止可能にした構成にする。【選択図】    図１
0003112309.tif 000002
【実用新案登録請求の範囲】
【請求項１】
道糸（Ａ）やハリス（Ｂ）との間に連接する釣り用クッションゴム（Ｃ）において、伸縮自在の弾性線条体（１）の外周面に非弾性線条体（２）で編み上げた巻包編み体（３）で覆い所定の長さでの両サイドにサルカン（１ａ）を設け、弾性線条体（１）の伸縮に同期する巻包編み体（３）の最長伸び限界が、弾性線条体（１）の弾性限界内にすることで、該弾性線条体（１）への繰り返し応力（Ｄ）でのへたりや切断を巻包編み体（３）が、防止可能にしたことを特徴とする釣り用クッションゴム。
【請求項２】
上記する弾性線条体（１）を数本の束にした集合弾性線条体（４）にし、此れらの外周に非弾性線条体（２）で編み上げた巻包編み体（３）で覆つたことを特徴とする、請求項１記載の釣り用クッションゴム。
【請求項３】
上記する非弾性線条体（２）の外周を超高強力、耐磨耗性、耐疲労性、耐光性の優れた超高分子量ポリエチレン系素材での巻装体（５）で包み込んだことを特徴とする請求項１或いは２項記載の釣り用クッションゴム。
【考案の詳細な説明】
【技術分野】
【０００１】此の考案は釣り糸用接続具で、詳しくは道糸とハリスとの間に接続し、魚が釣れたときの衝撃を緩和し、ハリスの切りを防止する、釣り用クッションゴムの改良に関する。
【背景技術】
【０００２】此の種従来の技術として図６で示すように丸材で伸縮自在のポリウレタンエラストマー素材からなる弾性線条体１０１の両サイドにサルカン１ａを設けたた釣り用クッションゴム（釣り糸用接続具）Ｃの構成が一般的に知られる。【０００３】そしてそれらのサルカン１ａには、釣り竿から吊るされる道糸Ａが接続され、片方のサルン１ａには釣り針の吊るされたハリスＢが接続される。【０００４】此れらの釣り用クッションゴムＣは、魚が釣れた際の引っ張り衝撃を緩和し、ハリス切れを防止したり或いは魚の釣り針での口切れを防止したり、更には魚の一瞬の急激な引きに対応する事で、魚への針掛りを確実にしている。【０００５】また、此れらの釣り用クッションゴムＣに接続する釣り餌が海中の自然の流れに合わせて浮沈みすることで、魚に警戒心を与える事なく、釣り餌を食いつかせる効果を狙っている。
【考案の開示】
【考案が解決しようとする課題】
【０００６】しかしながら上記する従来技術での釣り用クッションゴムＣは本体は伸縮クッション性の優れポリウレタンエラストマーを素材とする弾性線条体１は、海中で何回となく魚の当たりでの引っ張りと縮小の繰り返しによって、へたってしまうため頻繁に新品に交換しなければならないと云う課題がある。【０００７】また大物魚の餌の食いつきの過剰な引っ張りで切断時に、クッションの反発力で釣り人に思わぬ危害を与えたり、或いは釣り場近辺に直撃したりする等の危険をはらんでいる等の課題がある。
【課題を解決するための手段】
【０００８】此の考案はかかる課題を解決するために、請求項１での考案は図１、図２、図３、で述べるように、道糸ＡハリスＢとの間に連接する、釣り用クッションゴムＣでの本体である伸縮自在の弾性線条体１の外周面に非弾性線条体２で編み上げた巻包編み体３の最長伸び限界が、弾性線条体１の弾性限界内にすることで、該弾性線条体１への繰り返し応力Ｄでのへたりや切断を巻包編み体３が、防止可能にする構成である。【０００９】次に請求項２での考案は図４で述べるように、上記する弾性線条体１を数本の束にした集合弾性線条体４にし、これらの外周に非弾性線条体２で編み上げた巻包編み体３で覆つた構成である。【００１０】次ぎにまた請求項３での考案は図５で述べるように、上記する非弾性線条体２の外周を超高強力、耐摩耗性、耐疲労性、耐候性の優れた超高分子量ポリエチレン系材質での巻装体５で包んだ構成である。
【考案の効果】
【００１１】本考案は上述の通り構成作用することで次の優れた効果を奏する。即ち、第１実施例での釣り用クッションゴムでは、伸縮自在の弾性線条体が其の素材の弾性限界内でのみに魚の引っ張りが繰り返されるので、弾性の劣化のない常時新品同様の釣り用クッションゴムを提供することが出来る。【００１２】次ぎにまた第２実施例での釣り用クッションゴムは、数本の弾性線条体が束状の形態で集合弾性線状体の外周を非弾性線状体で巻包編み体にすることで、無限に強靭で且つ数本の弾性線状体の魚の食いちぎりに強い釣り用ションゴムを提供することが出来る。【００１３】そしてまた、上記する第１或いは第２の実施例での外周を耐候性、（耐光性）の素材での巻装体にすることで、長期間わたって経時変化の少ない初期特性保持のロングライフクッシヨンゴムを提供することが出来のが第３実施例である。
【考案を実施するための最良の形態】
【００１４】以下図示の実施例に基づいて本考案を更に詳しく説明する。
即ち図１は本考案での全体を示す斜視図であるが、釣竿の先端から伸びている道糸Ａと釣り針を設けたハリスＢとの間に介在して仕掛ける釣り用クッションゴム（釣り糸用接続具）Ｃの本体である細長いクッション性の良い伸縮自在の弾性線状体１が所定の太さと所定の長さに設定される。【００１５】本実施例では、丸状の熱可塑性ポリウレタンエラストマーの素材が使われるが、シリコンゴムや天然ゴム等の合成ゴムでも良いし、断面は丸状に特定するものでなく平板状でも良い。【００１６】そして、当該弾性線状体１は自然長の長さを基に、其の外周面に接合する非弾性線状体２は素材を本実施例では綿撚り糸を使っての１８本糸撚りで巻包編み体３で覆い弾性線状体１と同等自然長に設定され、両端にサルカン（金属製撚戻し具）１ａが結合される。【００１７】そして図２、図３の要部斜視図で示すように、巻包編み体３で全外周網状に覆われた伸縮自在の弾性線状体１に海中で魚の食いつきの引っ張りＤの繰り返しは、１８本撚りの巻包編み体３が網目が引っ張り方向にそれぞれが引き伸ばされ、中軸の弾性線状体１を締め付け伸びが締結され、引っ張りＤの解除によって弾性線状体１が伸びから縮小する。【００１８】此のように、引っ張りＤの弾性線状体１と巻包編み体３の双方の伸びで、綿素材での非弾性線状体２は、網目が引っ張りＤに引き伸ばされる限界が、伸縮自在の弾性線状体１の物理的弾性限界内に設定される事で、クッション性の損なわないへたりのない釣り用クッションゴムを具現する構成で、非弾性線状体２は、綿撚り糸の１８本での撚り化工に特定するものでなく、ナイロン、ポリエステル、ポリエチレンの単線でのネット織りでの巻包編み体３でも良い。【００１９】次に図４は本考案の第２実施例を示す要部での部分断面斜視図で、伸縮自在での弾性線状体１を数本の束にした集合弾性線状体４にし、此れらの外周に非弾性線状体２でネット状に編み上げた巻包編み体３で覆つた構成で、即ち、最強の大物魚類対応での釣り用クッションゴムを具現化したものである。【００２０】そして次にまた、図５は本考案の第３実施例を示す要部での部分断面斜視図で、上記する第１、第２実施例でのネット状の巻包編み体３の外周面に超高強力、耐摩耗性、耐疲労性、耐光性（耐候性）の優れた超高分子量ポリエチレン系素材を本考案では採用したチューブ状ネット式巻装体５で包み込んで非弾性線体２の素材綿等の自然放置での劣化を防止することで、ロングライフの釣り用クッションゴムを具現化したものである。
【図面の簡単な説明】
【００１２】
【図１】図中（ａ）は本考案の第１実施例での全体を示す一部断面での斜視図である。図中（ｂ）はサルカンと巻包編み体の結合要部での他の実施例斜視図である。
【図２】本考案の第１実施例要部での部分斜視図である。
【図３】本考案の第１実施例要部での伸縮を示す部分斜視図である。
【図４】本考案の第２実施例要部での部分斜視図である。
【図５】本考案の第３実施例要部での部分斜視図である。
【図６】従来技術での全体斜視図である。
【符号の説明】
【００１３】Ａ            道糸
Ｂ            ハリス
Ｃ            釣り用クッションゴム
Ｄ            応力
１（１０１）  弾性線状体
１ａ          サルカン
２            非弾性線状体
３            巻包編み体
４            集合弾性線状体
５            巻装体
【図１】
0003112309.tif 000003
【図２】
0003112309.tif 000004
【図３】
0003112309.tif 000005
【図４】
0003112309.tif 000006
【図５】
0003112309.tif 000007
【図６】
0003112309.tif 000008